(57)【特許請求の範囲】
【請求項１】
底壁の縁から側壁を立設した上端開口の箱本体と、該箱本体の上端開口を閉塞する蓋体とを備え、前記箱本体の少なくとも１つの側壁を内壁部と外壁部とを有する２層構造に形成し、前記内壁部と外壁部とを連続させる連続部に差込孔を設けるとともに、該差込孔に対応する前記蓋体の縁に外方に突出する係止爪を有する係止舌片を設けた包装箱において、
前記外壁部に、前記係止舌片の下端縁より下方に位置する前記底壁から、前記係止舌片の下端縁より上方に位置する前記差込孔に向けて上下方向に延びる開放操作溝を設けたことを特徴とする包装箱。
【請求項２】
前記外壁部に、前記開放操作溝および前記差込孔と連続し、前記係止舌片の下部形状と略一致する位置決め溝を設けたことを特徴とする請求項１に記載の包装箱。
【請求項３】
前記差込孔に、内壁部から外壁部に設けた前記位置決め溝の端部に向けて外向きに広がる斜辺部を設けたことを特徴とする請求項２に記載の包装箱。
【発明の詳細な説明】
【０００１】
【発明の属する技術分野】
本発明は、例えばゼリー食品をカップに収容した商品などを収容するトレイ状の包装箱に関する。
【０００２】
【従来の技術】
この種の包装箱は、図１１に示すように、トレイ状の箱本体１００と、別体の蓋体１０８とからなる。前記箱本体１００は、矩形状の底壁１０１の縁からそれぞれ側壁１０２ａ，１０２ｂ，１０２ｃ，１０２ｄが立設された上端開口のものである。そのうち、対向する側壁１０２ａ，１０２ｃは、内壁部１０３と外壁部１０４とを有する２層構造に形成され、これら内壁部１０３と外壁部１０４とを連続させる上端の連続部１０５には差込孔１０６が設けられている。また、他の側壁１０２ｂ，１０２ｄには、隣接する側壁１０２ａ，１０２ｃの上面の一部を覆うように桟１０７が設けられている。前記蓋体１０８は、２つの桟１０７の間の開口を閉塞する形状をなし、前記差込孔１０６と対応する縁には、外方に突出する係止爪１０９ａを有する係止舌片１０９が設けられている。
【０００３】
この包装箱は、箱本体１００の内部に商品を所定の配列で収容させた後、前記差込孔１０６に係止舌片１０９を挿入係止して蓋体１０８を配置することにより、内部に埃などが侵入しないように箱本体１００の上端開口を閉塞できる。
【０００４】
【発明が解決しようとする課題】
しかしながら、前記包装箱は、商品を収容した後に、購入者である最終ユーザの手元に至るまでに、蓋体１０８を開けて収容した中身を確認する工程がある。そして、前記蓋体１０８を開くには、例えば、前記係止舌片１０９の近傍の縁に指の腹を当て、若干の力を加えながら開く必要があり、作業性が非常に悪いという問題がある。この問題は、手袋をした状態で作業性を行うため、一層、顕著に現れる。また、前記箱本体１００に蓋体１０８を装着する作業においても、差込孔１０６に係止舌片１０９を位置決めする作業は非常に困難である。
【０００５】
そこで、本発明では、蓋体の開閉作業性がよいトレイ状の包装箱を提供することを課題とするものである。
【０００６】
【課題を解決するための手段】
前記課題を解決するため、本発明の包装箱は、底壁の縁から側壁を立設した上端開口の箱本体と、該箱本体の上端開口を閉塞する蓋体とを備え、前記箱本体の少なくとも１つの側壁を内壁部と外壁部とを有する２層構造に形成し、前記内壁部と外壁部とを連続させる連続部に差込孔を設けるとともに、該差込孔に対応する前記蓋体の縁に外方に突出する係止爪を有する係止舌片を設けた包装箱において、前記外壁部に、前記係止舌片の下端縁より下方に位置する前記底壁から、前記係止舌片の下端縁より上方に位置する前記差込孔に向けて上下方向に延びる開放操作溝を設けた構成としている。
【０００７】
前記包装箱によれば、開放操作溝内に指を差し込むことにより、係止舌片の下端縁を指で操作することができる。そのため、蓋体の開放作業性を向上することができる。また、前記差込孔および開放操作溝を設けた側壁は、内壁部と外壁部とを有する２層構造に形成されているため、前記開放操作溝を設けることにより内部が露出されることはない。
【０００８】
前記包装箱では、前記外壁部に、前記開放操作溝および前記差込孔と連続し、前記係止舌片の下部形状と略一致する位置決め溝を設けることが好ましい。このようにすれば、蓋体の係止舌片を差込孔に対応する外壁部の所定位置に簡単に位置決めすることができるため、閉塞作業性を向上することができる。
【０００９】
この場合、前記差込孔に、内壁部から外壁部に設けた前記位置決め溝の端部に向けて外向きに広がる斜辺部を設けることが好ましい。このようにすれば、蓋体によって箱本体を閉塞する際には、箱本体の差込孔に設けた斜辺部と、蓋体に設けた係止舌片の側縁とが摺動しながら該係止舌片が挿入係止される。そのため、差込孔への係止舌片の抜き差しによる損傷を抑制することができる。
【００１０】
【発明の実施の形態】
以下、本発明の実施の形態を図面に従って説明する。
図１から図５は、本発明の第１実施形態に係る包装箱を示す。この包装箱は、従来と同様に、底壁２の縁から側壁３ａ，３ｂ，３ｃ，３ｄを立設した上端開口のトレイ状の箱本体１と、該箱本体１の上端開口を閉塞する別体の蓋体２２とからなる。
【００１１】
前記箱本体１および蓋体２２は、一対の表紙および裏紙との間に波状の中しんを配設した段ボール紙を、雌雄一対の抜き型によって図４および図５に示す展開状態で打ち抜き、所定部位を折り曲げて係止することにより、粘着テープやホットメルトなどの糊付けを行うことなく、組立可能なものである。
【００１２】
具体的には、展開状態の箱本体１は、図４（Ａ）に示すように、略正方形状の底壁２を備え、この底壁２の縁に前記側壁３ａ〜３ｄが設けられている。
【００１３】
そのうち、図２中、上下に位置する側壁３ａ，３ｃは、前記底壁２と連続する外壁部４と、該外壁部４と連続する連続部５と、該連続部５と連続する内壁部６とからなる。前記底壁２と外壁部４との境界、外壁部４と連続部５との境界、連続部５と内壁部６との境界には、それぞれ肉厚を圧縮して形成した折曲線７が設けられている。
【００１４】
従来と同様に、前記連続部５には、その中央に矩形状に開口した差込孔８が設けられるとともに、該差込孔８の両側に一対のスリット９が設けられている。また、連続部５の両側には、連続する外壁部４にかけて延びる桟係止孔１０が設けられるとともに、該桟係止孔１０の内側縁にはスリット１１が設けられている。さらに、内壁部６の先端縁両側には、係止突部１２が設けられるとともに、底壁２の対応する位置には、係止溝１３が設けられている。さらにまた、外壁部４の両側縁には、折込部１４が設けられ、その境界には前記と同様の折曲線１５が設けられている。
【００１５】
そして、本実施形態では、図４（Ｂ）に示すように、前記外壁部４の中央には、後述する蓋体２２の開放操作溝１６と、閉塞操作用の位置決め溝１７とが設けられている。前記開放操作溝１６は、後述する蓋体２２の係止舌片２３の下端より下位である底壁２から、係止舌片２３の下端より上位である差込孔８に向けて上下方向に延びるものである。前記位置決め溝１７は、前記差込孔８および開放操作溝１６と連続するもので、後述する係止舌片２３の下部形状と略一致する形状で広く開口させたものである。
【００１６】
なお、前記底壁２の左右に位置する側壁３ｂ，３ｄには、図４（Ａ）に示すように、その先端に桟１８が設けられており、それらの境界部分には、前記と同様の折曲線１９が設けられている。前記桟１８は、従来と同様に、隣接する側壁３ａ，３ｃの一部を覆い、箱本体１の強度を向上するもので、その両端には前記桟係止孔１０に挿入係止される係止爪２０ａを備えた係止部２０が設けられ、その境界には折曲線２１が設けられている。
【００１７】
前記蓋体２２は、図５（Ａ）に示すように、一対の桟１８の間の開口を閉塞する形状をなす。そして、前記差込孔８と対応する縁には、図５（Ｂ）に示すように、外方に突出する一対の係止爪２３ａを有する係止舌片２３が設けられ、その境界には折曲線２４が設けられている。また、本実施形態では、前記係止舌片２３の下端には、作業者の指の腹に沿うように円弧状の切欠部２５が形成されている。
【００１８】
前記構成の包装箱において、箱本体１を組み立てる際には、まず、２層構造をなす側壁３ａ，３ｃの外壁部４、連続部５、内壁部６をそれぞれ折曲線７に沿って折り曲げ、内壁部６に設けた係止突部１２を底壁２の係止溝１３に挿入係止する。ついで、外壁部４に連続する折込部１４を折曲線１５に沿って内向きに折り曲げた後、側壁３ｂ，３ｄおよび桟１８を折曲線１９に沿って折り曲げる。その後、桟１８に連続する係止部２０を折曲線２１に沿って折り曲げ、対応する桟係止孔１０に挿入係止する。これにより、粘着テープやホットメルトなどの固着手段を使用することなく、上端を開口したトレイ状の箱本体１を組み立てることができる。
【００１９】
なお、組み立てた箱本体１は、上端を開口したトレイ状のものであるが、対向する側壁３ａ，３ｃを２層構造としており、かつ、他の対向する側壁３ｂ，３ｄに桟１８を形成しているため、捻れなどが生じることが抑制され、その構造は強固である。また、前記側壁３ａ，３ｃは、その外壁部４に連続した開放操作溝１６、位置決め溝１７および差込孔８が形成されているが、その内部には内壁部６が形成されているため、商品を収容する内部は完全に閉塞されている。
【００２０】
そして、前記箱本体１の内部に商品を所定の配列で収容させた後、蓋体２２によって箱本体１の上端開口を閉塞する際には、まず、蓋体２２において、係止舌片２３を指で撓ませることができるように、該係止舌片２３を形成した両側縁を挟み込みようにして把持する。
【００２１】
ついで、蓋体２２の係止舌片２３を折曲線２１に沿って下向きに折り曲げ、該係止舌片２３の下部内面を、２重構造とした側壁３ａ，３ｃにおける外壁部４の外面に当接させ、この状態で、蓋体２２を位置決め溝１７の側に略水平にスライドさせる。
【００２２】
これにより、係止舌片２３の下部が位置決め溝１７と一致すると、該位置決め溝１７を通して係止舌片２３が差込孔８内に位置し、スライド不可能な状態になり、規定の差込位置に位置する。
【００２３】
その後、蓋体２２を下向きに押し下げることにより、係止舌片２３を差込孔８内に挿入係止するとともに、蓋体２２で、２つの桟１８の間の上端開口を閉塞する。
【００２４】
この状態では、図３に示すように、前述のように外壁部４の中央が切り抜かれた状態となっているが、内壁部６により商品を収容する内部が露出されることはない。また、図示のように、開放操作溝１６の内部では、蓋体２２の係止舌片２３が露出している。
【００２５】
次に、前記包装箱の蓋体２２を開けて収容した商品を確認する際には、まず、箱本体１における側壁３ａ，３ｃの略中央部を両側から挟み込むように把持し、指を開放操作溝１６内に位置させる。
【００２６】
そして、指が開放操作溝１６内に位置すると、その指の腹を蓋体２２の係止舌片２３の下端縁に位置させ、指で係止舌片２３を上向きに押し上げる。これにより、蓋体２２の係止舌片２３が差込孔８内から抜き出され、蓋体２２を取り外して箱本体１を開放できる。
【００２７】
このように、本実施形態の包装箱では、蓋体２２における係止舌片２３の下端縁の上下方向に延びる開放操作溝１６が設けられているため、係止舌片２３の位置を目で確認することなく、手探りの作業でも簡単かつ確実に蓋体２２を開放することができる。
【００２８】
また、組立状態の箱本体１では、前記内壁部６は、開放操作溝１６から離れた両側位置で、係止突部１２を係止溝１３に挿入係止することにより位置決めしているため、その中央部を内向きに弾性的に撓ませることが可能である。そのため、係止舌片２３を押し上げる作業では、内壁部６を指で押圧して弾性変形させることにより、作業者は、指の腹の中央で蓋体２２の係止舌片２３の縁を操作することが可能である。さらに、この係止舌片２３の下端縁には、円弧状の切欠部２５を形成しているため、指の腹の形状にフィットさせることができる。そのため、複数の開放作業を行うことにより、作業者の指に痛みを感じさせることを抑制できる。
【００２９】
しかも、箱本体１には、外壁部４に差込孔８と連続する位置決め溝１７を設けているため、開放作業の際と同様に、差込孔８の位置を目で確認することなく、手探りの作業でも簡単かつ確実に蓋体２２を閉塞することもできる。
【００３０】
図６から図９は、第２実施形態の包装箱を示す。この包装箱は、第１実施形態と同様に、箱本体１と、別体の蓋体２２とからなる。
【００３１】
第２実施形態の箱本体１は、図７および図８（Ａ），（Ｂ）に示すように、差込部の一方側縁に、内壁部６から外壁部４に設けた位置決め溝１７の端部に向けて外向きに傾斜して広がる斜辺部２６が設けられている。なお、この第２実施形態では、差込孔８の両側にはスリット９は設けていない。
【００３２】
第２実施形態の蓋体２２は、図７および図９（Ａ），（Ｂ）に示すように、係止舌片２３における前記斜辺部２６と対応する側縁にのみ係止爪２３ａが設けられている。この係止爪２３ａには、外方に向けて下向きに傾斜する傾斜部２３ｂが設けられている。また、係止舌片２３において、前記係止爪２３ａが設けられていない側縁は、先細に傾斜する斜部２３ｃとされている。さらに、係止舌片２３は、前記係止爪２３ａの側が内壁部６の側に近づくように、折曲線２１を傾斜させている。なお、この第２実施形態では、係止舌片２３の下端には、円弧状の切欠部２５は設けていない。
【００３３】
この第２実施形態の包装箱では、箱本体１の上端開口を蓋体２２で閉塞する際には、第１実施形態と同様に、係止舌片２３を設けた蓋体２２の両側縁を把持した状態で、箱本体１の位置決め溝１７に係止舌片２３を位置決めした後、蓋体２２を下向きに押し下げる。
【００３４】
そうすると、係止爪２３ａを設けていない係止舌片２３の斜部２３ｃが差込孔８の斜辺部２６を設けていない縁と当接するとともに、係止爪２３ａの傾斜した側縁が差込孔８の斜辺部２６に当接する。そして、前記蓋体２２の押し下げにより、それぞれの当接部分が摺動しながら係止舌片２３が差込孔８から内部に挿入係止される。
【００３５】
そして、蓋体２２の係止舌片２３が差込孔８内に完全に挿入されると、該係止舌片２３は、傾斜した折曲線２１により、閉塞面積が大きい内壁部６の側に位置する。そのため、係止舌片２３を差込孔８に挿入係止することによる箱本体１と蓋体２２との閉塞状態を確実に維持することができる。
【００３６】
一方、箱本体１から蓋体２２を取り外して開放する際には、第１実施形態と同様に、開放操作溝１６内に指を挿入し、係止舌片２３の下端縁を指の腹で上向きに押し上げる。
【００３７】
そうすると、係止爪２３ａに設けた傾斜部２３ｂが差込孔８の斜辺部２６に当接し、これらの傾斜に沿って係止爪２３ａが広く開放した位置決め溝１７の側に移動し、係止舌片２３が差込孔８内から抜き出され、係止が解除される。
【００３８】
このように、第２実施形態の包装箱では、第１実施形態と同様に、箱本体１に設けた開放操作溝１６および位置決め溝１７により、係止舌片２３の位置および差込孔８の位置を目で確認することなく、手探りの作業でも簡単かつ確実に蓋体２２の開閉操作を行うことができる。
【００３９】
また、この第２実施形態では、差込孔８に斜辺部２６を設けているため、蓋体２２で閉塞する際において、差込作業に伴う差込孔８および係止舌片２３の損傷を抑制できる。しかも、前記係止舌片２３には傾斜部２３ｂを設けているため、蓋体２２を開放する際において、抜出作業に伴う差込孔８および係止舌片２３の損傷を抑制できる。このように、蓋体２２の開閉操作に伴う差込孔８への係止舌片２３の抜き差しで、これらに損傷を与えることを抑制できるため、損傷によって包装箱の外観が損なわれるという不都合を防止できる。
【００４０】
なお、本発明の包装箱は前記実施形態の構成に限定されるものではない。
例えば、前記各実施形態では、箱本体１と蓋体２２とを別体で構成したが、図１０に示すように、一体に構成してもよい。ここで、この包装箱は、４つの側壁３ａ〜３ｄのうち、蓋体２２を連続させた側壁３ｃと対向する側壁３ａのみを内壁部６と外壁部４とを有する２層構造とし、各側壁３ａ〜３ｄは、一対の側壁３ａ，３ｃに形成した糊代部２７を側壁３ｂ，３ｄにホットメルトによって糊付けすることにより一体に組み立てている。このように構成した包装箱でも前記と同様の作用、効果を得ることができる。
【００４２】
さらに、開放操作溝１６と位置決め溝１７とは、前記実施形態のように必ずしも連続するように形成する必要はない。即ち、開放操作溝１６の上端は、係止舌片２３の下端縁を押し上げることにより、上昇した蓋体２２の縁を簡単に指の腹で操作可能な位置まで浮き上げることができる位置であればよい。
【００４３】
【発明の効果】
以上の説明から明らかなように、本発明の包装箱では、外壁部に係止舌片の下端縁の上下方向に延びる開放操作溝を設けているため、この開放操作溝内に指を差し込むことにより、係止舌片の下端縁を指で操作することができ、その結果、蓋体の開放作業性を向上することができる。
【００４４】
また、前記外壁部には、係止舌片の下部形状と略一致する位置決め溝を設けているため、蓋体の係止舌片を外壁部の所定位置に簡単に位置決めすることができ、その結果、閉塞作業性を向上することができる。
【００４５】
そのため、本発明の包装箱では、箱本体に設けた開放操作溝および位置決め溝により、係止舌片の位置および差込孔の位置を目で確認することなく、手探りの作業でも簡単かつ確実に蓋体の開閉操作を行うことができる。
【図面の簡単な説明】
【図１】第１実施形態の包装箱を示す分解斜視図である。
【図２】図１の要部拡大斜視図である。
【図３】蓋をした状態の要部正面図である。
【図４】（Ａ）は展開状態の箱本体を示す平面図、（Ｂ）は（Ａ）の要部拡大平面図である。
【図５】（Ａ）は展開状態の蓋体を示す平面図、（Ｂ）は（Ａ）の要部拡大平面図である。
【図６】第２実施形態の包装箱を示す分解斜視図である。
【図７】図６の要部拡大斜視図である。
【図８】（Ａ）は展開状態の箱本体を示す平面図、（Ｂ）は（Ａ）の要部拡大平面図である。
【図９】（Ａ）は展開状態の蓋体を示す平面図、（Ｂ）は（Ａ）の要部拡大平面図である。
【図１０】変形例の包装箱を示す斜視図である。
【図１１】従来の包装箱を示す斜視図である。
【符号の説明】
１…箱本体、２…底壁、３ａ〜３ｄ…側壁、４…外壁部、５…連続部、６…内壁部、８…差込孔、１６…開放操作溝、１７…位置決め溝、１８…桟、２２…蓋体、２３…係止舌片、２３ａ…係止爪、２３ｂ…傾斜部、２６…斜辺部。
【図１】
0003602508.tif 000002
【図２】
0003602508.tif 000003
【図３】
0003602508.tif 000004
【図４】
0003602508.tif 000005
【図５】
0003602508.tif 000006
【図６】
0003602508.tif 000007
【図７】
0003602508.tif 000008
【図８】
0003602508.tif 000009
【図９】
0003602508.tif 000010
【図１０】
0003602508.tif 000011
【図１１】
0003602508.tif 000012